(57)【要約】【課題】画像表示装置を囲う枠体を大型化した場合であっても、枠体の下方に配設された入賞口への入賞球を円滑かつ確実に流下させる。【解決手段】遊技盤の表面に遊技部を形成し、該遊技部の略上半部分に画像表示装置を配設し、該画像表示装置の下方に、遊技球を受け入れるための第１の入賞口（例えば始動入賞口）を設け、該第１の入賞口の下方に、該第１の入賞口よりも大きな開口部を有するとともに該開口部を開閉するための開口扉２０を有する第２の入賞口（例えば大入賞口６３）を設ける。第２の入賞口の背面側に、第１の入賞口に入賞した遊技球を流下させるための遊技球流下路４１を設ける。【選択図】          図１
2004159900.tif 000002
【特許請求の範囲】
【請求項１】
遊技盤の表面に遊技部を形成し、該遊技部の略上半部分に画像表示装置を配設し、該画像表示装置の下方に、遊技球を受け入れるための第１の入賞口を設け、該第１の入賞口の下方に、該第１の入賞口よりも大きな開口部を有するとともに該開口部を開閉するための開口扉を有する第２の入賞口を設けた遊技機において、
前記第２の入賞口の背面側に、前記第１の入賞口に入賞した遊技球を流下させるための遊技球流下路を設けたことを特徴とする遊技機。
【請求項２】
前記第２の入賞口は、その内部に、遊技球を受け入れるための第１の受入口および第２の受入口を有するとともに、両受入口を切り換えるための切換部材を備え、
前記第２の入賞口の背面側に、前記開口扉の開閉機構と前記切換部材の駆動機構を配設し、
前記遊技球流下路は、前記開口扉の開閉機構と前記切換部材の駆動機構の間に設けたことを特徴とする請求項１記載の遊技機。
【請求項３】
前記開口扉の開閉機構と前記切換部材の駆動機構は、それぞれソレノイドからなり、
前記開口扉の開閉機構と前記切換部材の駆動機構の間に一対のリブを設けるとともに、該リブの背面側に熱伝導性に優れた板材を配設して前記遊技球流下路を形成し、
前記板材の両端部分を前記ソレノイドの少なくとも一方に密着させたことを特徴とする請求項２記載の遊技機。
【発明の詳細な説明】
【０００１】
【発明の属する技術分野】
本発明は、パチンコ機やスロットマシン（パチスロ機を含む）等の遊技機に関するものである。
【０００２】
【従来の技術】
現在の遊技機、例えばパチンコ機においては、遊技盤の前面略中央部に、画像で表現される複数の特別図柄を遊技状態に応じて変動表示する液晶表示装置が配設されているのが一般的である。また、遊技盤の前面下部には、上記画像表示装置に表示される特別図柄が「大当たり」状態となったときに、所定時間および所定回数だけ間欠的に開放されて、通常時よりも多くの遊技球を受け入れられる大入賞口が設けられている。
【０００３】
このような大入賞口としては、遊技盤の前面下部に配された開口部と、この開口部の上端部側を開放端として開口部の下端部側に回動可能に支持された開口扉とからなり、通常時は開口扉により開口部を閉鎖し、「大当たり」状態となったときに、開口扉が間欠的に前方に傾動して開口部を開放するように構成されたものが一般的に知られている。
【０００４】
また、従来の一般的なパチンコ機では、遊技盤内を流下する遊技球の動きに変化を持たせて遊技の面白さを高めるため、液晶表示装置を囲うように枠体を設けるとともに、枠体の下部に、遊技球を一旦受け止めた後、その流下方向に変化を持たせて再び遊技盤上に放出するためのステージが設けられている。
【０００５】
さらに、枠体と大入賞口との間には、遊技球が入賞したことを条件として、特別図柄の変動を開始させるための始動入賞口が設けられており、始動入賞口には遊技球を受け入れ易い状態と受け入れ難い状態との間で切換可能な電動役物が設けられている。
【０００６】
【発明が解決しようとする課題】
ところで、近年のパチンコ機では、遊技の面白さを一層高めることを目的として、遊技部内を流下する遊技球の動きを今まで以上に変化させることが要望されている。このような要望に応えるために、枠体の下部に設けられたステージを大型化して遊技球の誘導路を複雑なものとすることが考えられる。
【０００７】
しかしながら、枠体の下方には始動入賞口や大入賞口が配設されており、ステージを大型化すると、枠体の下方における遊技部のスペースが減少してしまうため、始動入賞口と大入賞口との間隔が狭くなってしまう。
【０００８】
従来のパチンコ機において、始動入賞口に入賞した遊技球は、大入賞口を迂回するようにして遊技盤の後面下方に導かれているが、始動入賞口と大入賞口との間隔が狭い場合には、始動入賞口へ入賞した遊技球の迂回路を設けることが困難である。また、たとえ迂回路を設けることができたとしても迂回路の傾斜が緩くなり、遊技球を確実に流下させることができなくなってしまう。
【０００９】
本発明は、上記事情に鑑みなされたもので、画像表示装置を囲う枠体を大型化した場合であっても、枠体の下方に配設された入賞口への入賞球を円滑かつ確実に流下させることが可能な遊技機を提供することを目的とする。
【００１０】
【課題を解決するための手段】
本発明の遊技機は、上記目的を達成するため、遊技盤の表面に遊技部を形成し、該遊技部の略上半部分に画像表示装置を配設し、該画像表示装置の下方に、遊技球を受け入れるための第１の入賞口を設け、該第１の入賞口の下方に、該第１の入賞口よりも大きな開口部を有するとともに該開口部を開閉するための開口扉を有する第２の入賞口を設けた遊技機において、
前記第２の入賞口の背面側に、前記第１の入賞口に入賞した遊技球を流下させるための遊技球流下路を設けたことを特徴とするものである。
【００１１】
また、前記第２の入賞口は、その内部に、遊技球を受け入れるための第１の受入口および第２の受入口を有するとともに、両受入口を切り換えるための切換部材を備え、
前記第２の入賞口の背面側に、前記開口扉の開閉機構と前記切換部材の駆動機構を配設し、
前記遊技球流下路は、前記開口扉の開閉機構と前記切換部材の駆動機構の間に設けることが可能である。
【００１２】
また、前記開口扉の開閉機構と前記切換部材の駆動機構は、それぞれソレノイドからなり、
前記開口扉の開閉機構と前記切換部材の駆動機構の間に一対のリブを設けるとともに、該リブの背面側に熱伝導性に優れた板材を配設して前記遊技球流下路を形成し、
前記板材の両端部分を前記ソレノイドの少なくとも一方に密着させることが好ましい。
【００１３】
ここで、第１の入賞口とは、例えば、遊技球が入賞したことを条件として、画像表示装置における特別図柄の変動を開始させるための始動入賞口のことをいい、第２の入賞口とは、例えば、画像表示装置に表示される特別図柄が「大当たり」状態となったときに、所定時間および所定回数だけ間欠的に開放されて、通常時よりも多くの遊技球を受け入れることが可能な大入賞口のことをいう。
【００１４】
また、第２の入賞口内に設けた第１の受入口および第２の受入口とは、例えば、いずれか一方が通常の入賞口であり、他方が遊技球の入賞を条件として「大当たり」遊技の継続を許可するための継続入賞口である場合をいう。
【００１５】
また、熱伝導性に優れた板材とは、例えば、アルミニウム、鉄、銅等の金属、あるいはセラミックス等からなる板材のことをいう。
【００１６】
【発明の実施の形態】
以下、本発明の実施形態について図面を参照しながら説明する。なお、以下の説明では、代表的な弾球遊技機としてのパチンコ機に、本発明を適用した例について説明を行なう。
【００１７】
＜パチンコ機の概略構成＞
図５〜図７は、本発明の一実施形態に係るパチンコ機を示すもので、図５はパチンコ機の正面図、図６はパチンコ機の斜視図、図７は遊技盤の正面図である。
本発明の一実施形態に係るパチンコ機１は、図５、図６に示すように、外枠２の上半部に開閉可能に取り付けられたフロントドア３を備えており、その下方には操作部４が設けられている。
【００１８】
操作部４には、遊技に使用するための遊技球を貯留するとともに賞として払い出される遊技球を受け入れるための上皿５と、上皿５からオーバーフローした遊技球を受け入れるための下皿６とが上下に並べて取り付けられている。また、下皿６の右側には遊技球の発射操作を行なうための発射ハンドル７が設けられ、下皿６の左側には灰皿８が設けられている。さらに、上皿５には、当該パチンコ機１における球貸操作等を行なうための操作パネル９が設けられている。
【００１９】
また、フロントドア３の上部前面には遊技盤５０（図７参照）が取り付けられており、遊技盤５０の前方側には遊技部５２の前方を塞ぐためのガラス板（図示せず）が取り付けられている。
【００２０】
さらに、フロントドア３には、遊技部５２の周囲前方に位置するようにして装飾枠１０が設けられており、装飾枠１０の上部には、左右一対のスピーカ装置１１が配設されている。
【００２１】
＜遊技盤＞
フロントドア３の上部前面に取り付けられた遊技盤５０は、図５、図７に示すように、その表面に一対のガイドレール５１で囲まれた略円形の遊技部５２を備えており、遊技部５２内には、複数の障害釘や風車等の障害部材５３が配設されるとともに、複数の特別図柄を変動表示するための特別図柄表示装置として機能する画像表示装置５４と、複数個の普通図柄表示ＬＥＤを有する普通図柄表示装置５５と、複数の入賞口と、いずれの入賞口にも入賞しなかった遊技球を遊技部５２内から排出するためのアウト口５６とが設けられている。
【００２２】
上記画像表示装置５４の周囲には、遊技盤５０の表面から立ち上がる枠体５７が設けられており、この枠体５７の下辺部分には、側方から飛び込んだ遊技球を一時滞留させ、その後この遊技球を後述する始動入賞口６２に流下させるステージ５８が設けられている。
【００２３】
＜入賞口＞
上記入賞口は、その機能によって複数種類に分かれており、遊技球が入賞したことを条件として所定数の賞球を排出するための一般入賞口５９と、遊技球が通過したことを条件として、普通図柄表示装置５５における普通図柄表示ＬＥＤの変動表示を開始させるための普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させるための始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００２４】
上記大入賞口６３には、大入賞口６３を開閉するための開口扉２０（図１〜図４参照）が設けられている。
【００２５】
なお、本実施形態では、上記始動入賞口６２が第１の入賞口となり、上記大入賞口６３が第２の入賞口となる。
【００２６】
＜大入賞口＞
次に、図１〜図４を参照して、本発明のポイントとなる大入賞口の構成について詳細に説明する。図１〜図４は大入賞口および開口扉を構成するアタッカアッセンブリを示すもので、図１はアタッカアッセンブリの斜視図、図２はアタッカアッセンブリの平面図、図３はアタッカアッセンブリの正面図、図４はアタッカアッセンブリの右側面図である。
【００２７】
図１〜図４に示すように、大入賞口６３および開口扉２０は、遊技盤５０に取り付けられたアタッカアッセンブリ３０により構成される。このアタッカアッセンブリ３０は、取付基板３１のほぼ中央に大入賞口６３が開設されており、大入賞口６３には開口扉２０が開閉可能に取り付けられている。また、開口扉２０は大入賞口開閉ソレノイド３２の駆動により開閉するようになっている。
【００２８】
また、取付基板３１の背面側に枠部材３３を取り付けることにより凹室３４が形成されており、この凹室３４内には、大入賞口６３に入賞した遊技球を受け入れるための通常入賞口３５および継続入賞口３６が設けられている。通常入賞口３５は、凹室３４内に入賞した遊技球を通常入賞球として受け入れるための入賞口であり、継続入賞口３６は、遊技球の入賞を条件として特別遊技の継続を許可するための入賞口である。
【００２９】
また、凹室３４内には、受け入れた遊技球を通常入賞口３５あるいは継続入賞口３６へ選択的に入賞させるための切換部材３７が設けられている。この切換部材３７は、遊技球の流下方向を通常入賞口３５と継続入賞口３６との間で選択的に切り換えるシーソー状の部材からなり、入賞口切換ソレノイド３８の駆動により傾斜方向が切り換えられるようになっている。
【００３０】
なお、本実施形態では、通常入賞口３５が第１の受入口となり、継続入賞口３６が第２の受入口となる。また、大入賞口開閉ソレノイド３２が開口扉２０の開閉機構として機能し、入賞口切換ソレノイド３８が切換部材３７の駆動機構として機能する。
【００３１】
＜遊技球流下路＞
大入賞口開閉ソレノイド３２および入賞口切換ソレノイド３８は、図１、図２に示すように、枠部材３３の背面側に取り付けられており、大入賞口開閉ソレノイド３２および入賞口切換ソレノイド３８の間隔内には、枠部材３３の背面側から一対のリブ３９が突出して設けられている。また、リブ３９の背面側を塞ぐとともに、入賞口切換ソレノイド３８の背面に密着するようにして板材４０が取り付けられており、一対のリブ３９および板材４０により、始動入賞口６２へ入賞した遊技球Ｐが流下する遊技球流下路４１が形成されている。
この板材４０は、熱伝導性に優れた材料から形成されており、例えば、アルミニウム、鉄、銅等の金属、あるいはセラミックス等からなる。
【００３２】
このような構成からなる本実施形態では、始動入賞口６２へ入賞した遊技球Ｐは、アタッカアッセンブリ３０の背面側に設けられた遊技球流下路４１を経て遊技盤の５０背面側へ導かれる。また、入賞口切換ソレノイド３８の駆動により発生した熱は、板材４０に伝導するので、アタッカアッセンブリ３０における放熱効果が高められる。
【００３３】
なお、板材４０は、入賞口切換ソレノイド３８の背面ではなく、大入賞口開閉ソレノイド３２の背面に密着するように設けてもよいし、大入賞口開閉ソレノイド３および入賞口切換ソレノイド３８の双方の背面に密着するように設けてもよい。
【００３４】
＜その他の構成部材＞
以下、図５、図７を参照して、本発明に係るパチンコ機１を構成する他の部材について説明する。
【００３５】
＜普通図柄始動口＞
上記普通図柄始動口６０は、始動入賞口６２の左下方に設けられており、通過する遊技球を検出するようになっている。この普通図柄始動口６０の通過球は、４個まで記憶可能となっており、この入賞記憶に基づいて、普通図柄表示装置５５における図柄の変動表示が行なわれる。また、画像表示装置５４の右側上部には、普通図柄始動口６０の通過記憶個数を表示するための４個の普通図柄記憶ＬＥＤ６４が設けられている。この普通図柄記憶ＬＥＤ６４の点灯個数により、普通図柄始動口６０の通過記憶個数を表示することができる。
【００３６】
＜始動入賞口＞
上記始動入賞口６２の左右には、遊技球を受け入れ易い状態と、遊技球を受け入れ難い状態との間で切換可能なチューリップ状の普通電動役物６１が設けられている。この普通電動役物６１は、通常の状態では遊技球を受け入れ難い状態となっており、普通図柄表示装置５５において「当たり」となった場合に、所定時間（例えば、０．３秒間）だけ遊技球を受け入れ易い状態に切り換えられる。
【００３７】
また、始動入賞口６２への入賞球は、４個まで記憶可能となっており、この入賞記憶に基づいて、画像表示装置５４における図柄の変動表示が行なわれる。また、画像表示装置５４の右側下部には、始動入賞口６２への入賞記憶個数を表示するための４個の特別図柄記憶ＬＥＤ６５が設けられている。この特別図柄記憶ＬＥＤ６５の点灯個数により、始動入賞口６２への入賞記憶個数を表示することができる。
【００３８】
＜画像表示装置＞
上記画像表示装置５４は、遊技部５２のほぼ中央に設けられた液晶表示装置からなり、画像で表現される複数の特別図柄を変動表示するとともに、遊技状態に対応したアニメーション表示を行なうことにより、遊技演出を行なうことができるようになっている。
【００３９】
画像表示装置５４に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行なうことができる。
この特別遊技とは、例えば大入賞口６３を、所定時間および所定回数だけ遊技球を受け入れ易い状態に切り換えて、一般遊技よりも多くの遊技球を入賞させることにより、多くの賞球を獲得することができるような遊技である。
【００４０】
＜普通図柄表示装置＞
上記普通図柄表示装置５５は、画像表示装置５４の上方に設けられた赤色発光と緑色発光の複数個の普通図柄表示ＬＥＤを備えている。この普通図柄表示装置５５では、複数個の普通図柄表示ＬＥＤが赤、緑の発光色で交互に点滅するようになっており、複数個の普通図柄表示ＬＥＤの点滅が終了して緑色で点灯した場合を「当たり」として、始動入賞口６２に設けられた普通電動役物６１を、所定時間だけ遊技球を受け入れ易い状態に切り換えて、始動入賞口６２に遊技球を入賞させ易くする。
【００４１】
なお、普通図柄表示装置５５は、上述した複数個の普通図柄表示ＬＥＤを備えて構成する他に、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００４２】
＜パチンコ機における遊技＞
上記パチンコ機１では、発射装置（図示せず）の発射ハンドル７を操作することにより、発射勢が調整された遊技球が遊技部５２内に弾発される。そして、遊技部５２内に発射された遊技球が、一般入賞口５９等に入賞すると、所定数（例えば１０個）の賞球を払い出す。
【００４３】
また、普通図柄始動口６０を遊技球が通過したことを条件として、普通図柄表示装置５５における普通図柄の変動表示を開始させる。そして、乱数を用いた抽選により、普通図柄表示装置５５における普通図柄表示ＬＥＤの停止表示態様を決定し、この決定に基づいて普通図柄表示ＬＥＤの変動表示を停止させる。
【００４４】
ここで、普通図柄表示装置５５における普通図柄表示ＬＥＤの停止表示態様が、「当たり」となると、始動入賞口６２に設けられた普通電動役物６１を所定時間（例えば、０．３秒間）だけ遊技球を受け入れ易い状態に切り換える。
【００４５】
また、始動入賞口６２に遊技球が入賞したことを条件として、画像表示装置５４における特別図柄の変動表示を開始させる。そして、乱数を用いた抽選により、画像表示装置５４における特別図柄の停止表示態様を決定し、この決定に基づいて特別図柄の変動表示を停止させる。
【００４６】
ここで、画像表示装置５４における特別図柄の停止表示態様が「大当たり」となると、大入賞口６３を所定時間（例えば３０秒）あるいは所定個数（例えば１０個）の入賞球を受け入れるまで開放する。また、大入賞口６３内には継続入賞口３６（図１参照）が設けられており、大入賞口６３内に入賞した遊技球が継続入賞口３６にも入賞すると、上述した大入賞口６３の開放が、所定回数（例えば１６回）に達するまで繰り返される。
【００４７】
＜他の実施形態＞
以上、本発明の一実施形態を説明したが、本発明は、このような態様に限定されるものではなく、種々の態様の変更が可能である。例えば、始動入賞口６２を第１の入賞口とし、大入賞口６３を第２の入賞口としているが、第１の入賞口および第２の入賞口は、他の機能を有する入賞口とすることが可能である。
【００４８】
さらに、上述した実施形態ではパチンコ機１を例にとって説明したが、本発明は遊技球を受け入れるための第１の入賞口と、該第１の入賞口よりも大きな開口部を有するとともに該開口部を開閉するための開口扉を設けた第２の入賞口とを上下に並べて設けた遊技機であれば、他の遊技機にも適用することが可能である。
【００４９】
【発明の効果】
以上、詳細に説明したように本発明の遊技機は、第１の入賞口よりも下側に配設された第２の入賞口の背面側に、第１の入賞口に入賞した遊技球を流下させるための遊技球流下路が形成されている。
【００５０】
したがって、画像表示装置を囲う枠体を大型化した場合であっても、枠体の下方に配設された入賞口への入賞球の流下路を確保して、該入賞球を円滑かつ確実に流下させることが可能となる。
【００５１】
また、本発明の遊技機は、第２の入賞口内に、遊技球を受け入れるための第１の受入口および第２の受入口を設けるとともに、両受入口を切り換えるための切換部材を設けた場合に、第２の入賞口の背面側に設けた開口扉の開閉機構と切換部材の駆動機構の間に遊技球流下路を設けている。
【００５２】
したがって、第２の入賞口の背面側の限られたスペースを有効に活用することができる。
【００５３】
また、本発明の遊技機は、開口扉の開閉機構と切換部材の駆動機構の間に一対のリブを設けるとともに、該リブの背面側に熱伝導性に優れた板材を配設して遊技球流下路を形成し、板材の両端部分を両ソレノイドの少なくとも一方に密着させている。
【００５４】
したがって、開口扉の開閉機構あるいは切換部材の駆動機構で発生した熱を板材に伝導させ、効率よく放熱することができる。
【図面の簡単な説明】
【図１】本発明の一実施形態に係るパチンコ機に使用するアタッカアッセンブリの斜視図
【図２】本発明の一実施形態に係るパチンコ機に使用するアタッカアッセンブリの平面図
【図３】本発明の一実施形態に係るパチンコ機に使用するアタッカアッセンブリの正面図
【図４】本発明の一実施形態に係るパチンコ機に使用するアタッカアッセンブリの右側面図
【図５】本発明の一実施形態に係るパチンコ機の正面図
【図６】本発明の一実施形態に係るパチンコ機の斜視図
【図７】本発明の一実施形態に係るパチンコ機に使用する遊技盤の正面図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ装置
２０  開閉扉
３０  アタッカアッセンブリ
３１  取付基板
３２  大入賞口開閉ソレノイド
３３  枠部材
３４  凹室
３５  通常入賞口
３６  継続入賞口
３７  切換部材
３８  入賞口切換ソレノイド
３９  リブ
４０  板材
４１  遊技球流下路
５０  遊技盤
５１  ガイドレール
５２  遊技部
５３  障害部材
５４  画像表示装置
５５  普通図柄表示装置
５６  アウト口
５７  枠体
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
Ｐ  遊技球
【図１】
2004159900.tif 000003
【図２】
2004159900.tif 000004
【図３】
2004159900.tif 000005
【図４】
2004159900.tif 000006
【図５】
2004159900.tif 000007
【図６】
2004159900.tif 000008
【図７】
2004159900.tif 000009